Podtech/llm-jp-corpus-v4-ja_patent huggingface dataset:
【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
少なくとも１つのプロセッサを含むシミュレーション処理コンポーネントを有するシステムであって、
前記シミュレーション処理コンポーネントは、物理的手術部位に対する物理的手術用器具の位置及び構成の少なくとも一方を表す位置信号を使用して仮想環境を生成し、
前記シミュレーション処理コンポーネントは、前記位置信号の変化に応じて及び当該システムのユーザによる入力に対応する制御信号に応じて前記仮想環境を更新し、前記仮想環境の更新は、前記仮想環境内で仮想手術用器具を移動させることを含み、
前記仮想手術用器具と前記仮想環境の仮想手術部位との相互作用は、前記物理的手術用器具と前記物理的手術部位との間の物理的関係によって少なくとも部分的に規定され、
前記シミュレーション処理コンポーネントは、前記仮想環境の現在の状態を示すシミュレーション状態信号の表現を出力する、
システム。
【請求項２】
前記物理的手術用器具は、完全に機能できないダミー器具を含む、請求項１に記載のシステム。
【請求項３】
前記物理的手術部位は、解剖学的モデルを含み、該解剖学的モデルは、前記解剖学的モデルに対する前記物理的手術用器具の位置を示すセンサ信号を前記シミュレーション処理コンポーネントに出力するように動作する少なくとも１つのセンサを含む、請求項１に記載のシステム。
【請求項４】
前記物理的手術用器具はカニューレである、請求項３に記載のシステム。
【請求項５】
前記シミュレーション処理コンポーネントに出力される前記制御信号の少なくとも一部を生成するために、前記ユーザによって操作可能な少なくとも１つの入力制御を含む制御コンソールをさらに含む、請求項１に記載のシステム。
【請求項６】
前記シミュレーション処理コンポーネントに結合され且つ前記シミュレーション状態信号の表現を視覚的に表示すように構成される表示装置をさらに含む、請求項１に記載のシステム。
【請求項７】
画像取込み装置を使用して取り込まれた前記物理的手術部位の画像を視覚的に表示すように構成された表示装置をさらに含む、請求項１に記載のシステム。
【請求項８】
前記物理的手術用器具に結合される遠隔操作医療装置をさらに含み、
前記シミュレーション処理コンポーネントは、前記遠隔操作医療装置の要素の位置を決定し、該要素の位置を基準位置と比較し、フィードバック情報を前記ユーザに出力する、
請求項１に記載のシステム。
【請求項９】
医療処置シミュレーションを提供する方法であって、当該方法は、
物理的手術部位に対する物理的手術用器具の位置及び構成の少なくとも一方を表す位置信号を使用して仮想環境を生成するステップと、
前記位置信号の変化に応じて及びシステムのユーザによる入力に対応する制御信号に応じて前記仮想環境を更新するステップであって、前記仮想環境の更新には、前記仮想環境内で仮想手術用器具を移動させることが含まれ、前記仮想手術用器具と前記仮想環境の仮想手術部位との相互作用は、前記物理的手術用器具と前記物理的手術部位との間の物理的関係によって少なくとも部分的に規定される、更新するステップと、
前記仮想環境の現在の状態を示すシミュレーション状態信号の表現を出力するステップと、を含む、
方法。
【請求項１０】
前記制御信号を生成するために、前記ユーザによって操作可能な少なくとも１つの入力制御を含む制御コンソールから前記制御信号の少なくとも一部を受信するステップをさらに含む、請求項９に記載の方法。
【請求項１１】
前記シミュレーション状態信号の表現は、シミュレーション処理コンポーネントに結合され且つ前記シミュレーション状態信号の表現を視覚的に表示すように構成される第１の表示装置に出力され、第１の表示装置は制御コンソールに設けられ、前記シミュレーション状態信号の表現は、前記制御コンソールとは別のビジョン側カートに設けられた第２の表示装置に出力される、請求項９に記載の方法。
【請求項１２】
遠隔操作医療装置が、前記物理的手術用器具に結合され、
シミュレーション処理コンポーネントを使用して、遠隔操作手術装置の要素の位置を決定するステップと、該要素の位置を基準位置と比較するステップと、フィードバック情報を前記ユーザに出力するステップと、をさらに含む、請求項９に記載の方法。
【請求項１３】
前記生成するステップ、前記更新するステップ、及び前記出力するステップの前に、
シミュレートされたセットアップ手順において、前記物理的手術部位に対する前記物理的手術用器具の前記位置及び前記構成の少なくとも一方を表すセットアップ位置信号を受信するステップであって、前記遠隔操作医療装置の前記要素は、前記シミュレートされたセットアップ手順中の１つ又は複数のセットアップタスクにおいて前記ユーザによって位置付けされる、受信するステップと、
前記シミュレートされたセットアップ手順において、前記セットアップ位置信号に基づいてセットアップ状態信号を決定するステップであって、該セットアップ状態信号は前記シミュレートされた医療処置の現在の状態を示す、決定するステップと、
前記シミュレートされたセットアップ手順において、前記セットアップ状態信号の表現を出力するように動作する少なくとも１つの出力装置に前記セットアップ状態信号を送信するステップと、をさらに含む、請求項１２に記載の方法。
【請求項１４】
前記位置信号は、前記シミュレートされたセットアップ手順の後に行われる１つ又は複数の外科タスクを含むシミュレートされた外科手術においてさらに受信され、前記遠隔操作医療装置の前記要素は、前記遠隔操作医療装置に結合される外科医コンソールによって提供される制御信号に基づいて位置付けされる、請求項１３に記載の方法。
【請求項１５】
前記シミュレートされた外科手術は、前記シミュレートされたセットアップ手順から生じる前記遠隔操作医療装置の構成に基づくものである、請求項１４に記載の方法。
【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
第１側面、前記第１側面の反対側の第２側面、前記第１及び第２側面間の第３側面、及び前記第３側面の反対側の第４側面を含むカバー部材；
前記カバー部材内に配置されたハウジング部材；
前記ハウジング部材内に配置されたボビン；
前記ボビンの外周面に配置されたコイルユニット；
前記コイルユニットと対向し、前記カバー部材の前記第１及び第２側面とそれぞれ結合する第１及び第２駆動用マグネット；
前記ボビンの上面と結合された上部弾性部材；
前記ボビンの下面と結合された下部弾性部材；
センシングマグネット；及び
位置感知センサーを含み、
前記センシングマグネットは前記ボビンに取り付けられ、
前記センシングマグネットは前記ボビンの側壁の一側壁に配置され、前記カバー部材の前記第３側面に向かって位置し、
前記位置感知センサーは前記センシングマグネットと向き合い、レンズの光軸方向又は前記光軸と平行な第１方向への前記ボビンの動きを感知し、
前記センシングマグネットは前記第４側面に垂直であるとともに前記第１方向に垂直な第２方向に前記コイルユニット及び前記カバー部材の前記第３側面と重畳しない、レンズ駆動装置。
【請求項２】
前記ボビンは前記カバー部材の前記第３側面に向かって位置する前記ボビンの前記側壁に形成された収容溝を含み、
前記センシングマグネットは前記ボビンの前記収容溝に配置された、請求項１に記載のレンズ駆動装置。
【請求項３】
前記センシングマグネットは前記第１方向に前記コイルユニット上に配置された、請求項１又は２に記載のレンズ駆動装置。
【請求項４】
前記下側弾性部材は第１及び第２下側弾性部材を含み、
前記第１及び第２下側弾性部材は前記コイルユニットの両端とそれぞれ連結され、
前記第２方向は前記カバー部材の前記第３側面から前記第４側面に向かう方向である、請求項１〜３のいずれか一項に記載のレンズ駆動装置。
【請求項５】
前記センシングマグネットの少なくとも一部は前記ボビンの外周面から前記コイルユニットより前記光軸に向かってもっと内側に配置される、請求項１〜４のいずれか一項に記載のレンズ駆動装置。
【請求項６】
前記センシングマグネットは両極着磁マグネットを含む、請求項１〜５のいずれか一項に記載のレンズ駆動装置。
【請求項７】
前記カバー部材の前記第３側面はウィンドウを含み、
前記センシングマグネットは前記第２方向に前記第３側面の前記ウィンドウと重畳する、請求項１〜６のいずれか一項に記載のレンズ駆動装置。
【請求項８】
前記レンズ駆動装置は、
前記位置感知センサーと結合する第１回路基板；及び
前記ハウジング部材と結合するベースをさらに含み、
前記第１回路基板は複数の端子を含み、
前記第１及び第２駆動用マグネットは前記第１及び第２方向とそれぞれ直交する第３方向に前記ハウジング部材に対して互いに平行に配置され、
前記第１回路基板は前記ボビン、前記ハウジング部材又は前記カバー部材の少なくとも一つの側壁に対応する位置に前記第２方向に配置され、
前記下側弾性部材は前記第１回路基板と電気的に連結された、請求項１〜７のいずれか一項に記載のレンズ駆動装置。
【請求項９】
前記ボビンは、
前記収容溝の反対側に配置された追加収容溝をさらに含み、
重量均衡部材は前記追加収容溝内に配置され、前記センシングメグネトと同一の重量を有する、請求項２に記載のレンズ駆動装置。
【請求項１０】
前記両極着磁マグネットは、
前記位置センサーと向かい合い、第１極性を有する第１側面；及び
前記位置センサーと向かい合い、前記第１方向に前記第１側面に対して離隔するか接するように配置され、前記第１極性と反対の第２極性を有する第２側面を含み、
前記第１側面の前記第１方向への長さは前記第２側面の前記第１方向への長さ以上である、レンズ駆動装置。
【請求項１１】
前記第１及び第２駆動用マグネットは前記カバー部材の前記第１及び第２側面にそれぞれ接着固定され、
前記センシングマグネットは前記第１及び第２駆動用マグネットのそれぞれより小さい、請求項１〜１０のいずれか一項に記載のレンズ駆動装置。
【請求項１２】
前記カバー部材と一体に形成されたインナーヨークをさらに含み、
前記インナーヨークは前記ハウジング部材のコーナーに対応する位置に配置され、
前記インナーヨークは、
前記カバー部材から下方に折り曲げられた折曲部；及び
前記折曲部に近接した位置に配置され、対称形状を有する逃避溝を含む、請求項１〜１１のいずれか一項に記載のレンズ駆動装置。
【請求項１３】
前記コイルユニットの両端は前記ボビンの両側に配列された、請求項１〜１２のいずれか一項に記載のレンズ駆動装置。
【請求項１４】
前記ボビンはその下側面から突出した複数の下側支持突起を含み、
前記下側弾性部材は前記下側支持突起に対応する位置に形成された複数の通孔を含み、
前記複数の通孔に固定された前記下側支持突起は前記ボビンの中心に対して対称状に配列された、請求項１〜１３のいずれか一項に記載のレンズ駆動装置。
【請求項１５】
イメージセンサー；
イメージセンサーが実装された第２回路基板；及び
請求項１〜１４のいずれか一項に記載の前記レンズ駆動装置を含む、カメラモジュール。
【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
各々に少なくとも１つの光吸収粒子が提供された少なくとも１つのセルと、前記セルと熱的に接触したサーマルオプティカル材料と、前記光吸収粒子を照明するための少なくとも１つの制御可能な光ソースとを備え、前記光ソースは、前記光吸収粒子によって吸収されうる少なくとも１つのスペクトル成分を有し、波長および／またはパワーおよび／または偏波を制御可能であり、各セルは、１つのまたは複数の前記粒子と１つのまたは複数の前記光ソースとの間の光学的相互作用エリアによって規定される可変フォトサーマルレンズ。
【請求項２】
前記光吸収粒子は基材上でパターン化されている請求項１に記載の可変フォトサーマルレンズ。
【請求項３】
前記光吸収粒子はプラズモン粒子であり、前記ソースはそれらのプラズモン共鳴のところで射出するように適合されている請求項１又は２に記載の可変フォトサーマルレンズ。
【請求項４】
前記プラズモン粒子は、ナノアンテナ、ナロロッド、ナノホール、ナノ粒子、ナノスター、ナノオリゴマー、および／または多分岐ナノ粒子のいずれか又は組み合わせである請求項３に記載の可変フォトサーマルレンズ。
【請求項５】
前記プラズモン粒子は金ナノ粒子である請求項４に記載の可変フォトサーマルレンズ。
【請求項６】
前記サーマルオプティカル材料は、水、グリセロールまたはオクタンである請求項１乃至５のいずれか１項に記載の可変フォトサーマルレンズ。
【請求項７】
セルのアレイが設けられ、各セルは、１つ又は複数の前記ソースのスポットサイズによって規定される請求項１乃至６のいずれか１項に記載の可変フォトサーマルレンズ。
【請求項８】
前記セルは、前記光吸収粒子の物理的な位置によって規定される請求項１乃至７のいずれか１項に記載の可変フォトサーマルレンズ。
【請求項９】
１つのソースと、前記ソースのスポットの異なる位置を提供するためのガルバノミラーとが設けられた請求項１乃至８のいずれか１項に記載の可変フォトサーマルレンズ。
【請求項１０】
複数の光源が設けられた請求項１乃至８のいずれか１項に記載の可変フォトサーマルレンズ。
【請求項１１】
請求項１乃至１０のいずれか１項に記載のレンズを複数備えたマイクロレンズアレイ。
【手続補正書】
【提出日】平成30年1月17日(2018.1.17)
【手続補正１】
【補正対象書類名】特許請求の範囲
【補正対象項目名】全文
【補正方法】変更
【補正の内容】
【特許請求の範囲】
【請求項１】
人工神経系を操作するための方法であって、
第１のメモリレイアウトを、第１のニューロンモデルのインスタンスのパラメータおよび状態変数に割り振ることと、
前記第１のメモリレイアウトとは異なる第２のメモリレイアウトを、前記第１のニューロンモデルとは異なる複雑性を有する第２のニューロンモデルのインスタンスのパラメータおよび状態変数に割り振ることと、
前記人工神経系を操作する際に、前記第１のニューロンモデルまたは前記第２のニューロンモデルのうちの少なくとも１つの、少なくとも１つのインスタンスに関する状態変数を更新することと、
を備え、
前記第１のメモリレイアウトが、
前記第１のニューロンモデルの前記インスタンスの少なくともサブセット間で共有されるパラメータを記憶するための共有メモリと、
前記第１のニューロンモデルの前記インスタンスの前記状態変数を記憶するための状態変数メモリと、
を備え、
前記第２のメモリレイアウトが、前記第２のニューロンモデルの前記インスタンスの前記パラメータと前記状態変数の両方を記憶するための共通メモリを備える、
方法。
【請求項２】
前記状態変数メモリの少なくとも一部を、前記第２のニューロンモデルの前記インスタンスの少なくともサブセットのパラメータおよび状態変数で書き換えることをさらに備える、請求項１に記載の方法。
【請求項３】
前記第１のニューロンモデルの少なくとも１つのインスタンスの状態変数、または前記第２のニューロンモデルの少なくとも１つのインスタンスのパラメータおよび状態変数が、前記状態変数メモリに記憶されるかどうかをフラグによって示すことをさらに備える、請求項２に記載の方法。
【請求項４】
前記共通メモリの少なくとも一部を、前記第１のニューロンモデルの前記インスタンスの少なくともサブセットの状態変数で書き換えることをさらに備える、請求項１に記載の方法。
【請求項５】
前記第２のメモリレイアウト内の前記パラメータのサブセットが、前記第２のニューロンモデルのインスタンスに関連付けられる人工ニューロンごとに固有である、請求項１に記載の方法。
【請求項６】
前記人工神経系を操作する際に、前記第１のニューロンモデルの１つまたは複数のインスタンスの状態変数と、前記第２のニューロンモデルの１つまたは複数のインスタンスの状態変数とを同時に更新することをさらに備える、請求項１に記載の方法。
【請求項７】
前記人工神経系を操作する際に、前記第２のニューロンモデルの前記インスタンスの前記パラメータを動的に変更することをさらに備える、請求項１に記載の方法。
【請求項８】
人工神経系を操作するための装置であって、
第１のメモリレイアウトを、第１のニューロンモデルのインスタンスのパラメータおよび状態変数に割り振るための手段と、
前記第１のメモリレイアウトとは異なる第２のメモリレイアウトを、前記第１のニューロンモデルとは異なる複雑性を有する第２のニューロンモデルのインスタンスのパラメータおよび状態変数に割り振るための手段と、
前記人工神経系を操作する際に、前記第１のニューロンモデルまたは前記第２のニューロンモデルのうちの少なくとも１つの、少なくとも１つのインスタンスに関する状態変数を更新するための手段と、
を備え、
前記第１のメモリレイアウトが、
前記第１のニューロンモデルの前記インスタンスの少なくともサブセット間で共有されるパラメータを記憶するための共有メモリと、
前記第１のニューロンモデルの前記インスタンスの前記状態変数を記憶するための状態変数メモリと、
を備え、
前記第２のメモリレイアウトが、前記第２のニューロンモデルの前記インスタンスの前記パラメータと前記状態変数の両方を記憶するための共通メモリを備える、
装置。
【請求項９】
前記状態変数メモリの少なくとも一部を、前記第２のニューロンモデルの前記インスタンスの少なくともサブセットのパラメータおよび状態変数で書き換えるための手段をさらに備える、請求項８に記載の装置。
【請求項１０】
前記第１のニューロンモデルの少なくとも１つのインスタンスの状態変数、または前記第２のニューロンモデルの少なくとも１つのインスタンスのパラメータおよび状態変数が、前記状態変数メモリに記憶されるかどうかをフラグによって示すための手段をさらに備える、請求項９に記載の装置。
【請求項１１】
前記共通メモリの少なくとも一部を、前記第１のニューロンモデルの前記インスタンスの少なくともサブセットの状態変数で書き換えるための手段をさらに備える、請求項８に記載の装置。
【請求項１２】
前記第２のメモリレイアウト内の前記パラメータのサブセットが、前記第２のニューロンモデルのインスタンスに関連付けられる人工ニューロンごとに固有である、請求項８に記載の装置。
【請求項１３】
人工神経系を操作するためのコンピュータプログラム製品であって、コンピュータによって実行される際に、
第１のメモリレイアウトを、第１のニューロンモデルのインスタンスのパラメータおよび状態変数に割り振り、
前記第１のメモリレイアウトとは異なる第２のメモリレイアウトを、前記第１のニューロンモデルとは異なる複雑性を有する第２のニューロンモデルのインスタンスのパラメータおよび状態変数に割り振り、
前記人工神経系を操作する際に、前記第１のニューロンモデルまたは前記第２のニューロンモデルのうちの少なくとも１つの、少なくとも１つのインスタンスに関する状態変数を更新する、
命令を有する非一時的コンピュータ可読媒体を備え、
前記第１のメモリレイアウトが、
前記第１のニューロンモデルの前記インスタンスの少なくともサブセット間で共有されるパラメータを記憶するための共有メモリと、
前記第１のニューロンモデルの前記インスタンスの前記状態変数を記憶するための状態変数メモリと、
を備え、
前記第２のメモリレイアウトが、前記第２のニューロンモデルの前記インスタンスの前記パラメータと前記状態変数の両方を記憶するための共通メモリを備える、
コンピュータプログラム製品。
【手続補正書】
【提出日】平成29年12月5日(2017.12.5)
【手続補正１】
【補正対象書類名】特許請求の範囲
【補正対象項目名】全文
【補正方法】変更
【補正の内容】
【特許請求の範囲】
【請求項１】
ａ．参照ゲノムデータベースを持ち、基準値データセットとして作動可能であり、優性単一遺伝子性、多遺伝子性、または多因子性疾患を引き起こすと知られる遺伝的変異が基本的にない、亜集団の全ゲノムの一部の生物学的データを備えるメモリを有するコンピュータと、
ｂ．前記個人の一部または全ての生物学的データを備える個人ゲノムを持つメモリを有するコンピュータと、
ｃ．選択された症状での違いについて、前記個人ゲノムまたはその部分の配列を、前記参照ゲノムの配列と比較するよう構成されたコンピュータと、を備える、
コンピュータにより実行される生物学的データ解析システム。
【請求項２】
前記生物学的データが、ゲノム配列情報、プロテオミクスデータ、エクソームデータ、メチル化データ、ｍＲＮＡ表現データ、メタボロームデータ、ミクロビオームデータ、ミトコンドリア配列データ、および核型データからなる群から選択された、請求項１に記載のシステム。
【請求項３】
前記選択された症状により発現、または前記選択された症状に反応する症状を直接または間接的に測定するよう、作動可能なセンサを選択することをさらに含む、請求項１に記載のシステム。
【請求項４】
前記測定された症状について閾値を選択することをさらに含む、請求項３に記載のシステム。
【請求項５】
前記値が前記ゲノム比較の比較に応じて変わる、請求項３に記載のシステム。
【請求項６】
前記センサの出力値の監視をさらに含む、請求項４に記載のシステム。
【請求項７】
前記閾値の境界を超える状態の警告を提示することをさらに含む、請求項４に記載のシステム。
【請求項８】
前記周期的なセンサ出力と前記閾値との比較を提示することをさらに含む、請求項４に記載のシステム。
【請求項９】
前記選択された症状が、公知の単一遺伝子性疾患から選択された、請求項１に記載のシステム。
【請求項１０】
前記選択された症状が、皮膚癌発症の可能性、黒色腫のリスク、心臓発作のリスク、骨関節炎のリスク、心不整脈のリスク、運動選手の能力素因、ビタミンおよびサプリメントの摂取、体重増加の素因、および解毒経路不全から選択された、請求項１に記載のシステム。
【請求項１１】
前記選択された症状が皮膚癌であり、前記センサが紫外線センサである、請求項１に記載のシステム。
【請求項１２】
前記選択された症状がビタミンＤ摂取であり、前記センサが紫外線センサである、請求項１に記載のシステム。
【請求項１３】
前記選択された症状が心臓発作のリスクまたは心不整脈のリスクであり、前記センサが心拍数センサである、請求項１に記載のシステム。
【請求項１４】
前記選択された症状が骨関節炎のリスクであり、前記センサが加速度計である、請求項１に記載のシステム。
【請求項１５】
前記選択された症状が運動選手の能力素因または体重増加の素因であり、前記センサが加速度計である、請求項１に記載のシステム。
【請求項１６】
ａ．
ｉ．複数の患者からの生物学的データを含むデータベースを有するメモリを備え、前記生物学的データは少なくとも第１および第２のソースから取得されたコンピュータと、
ｉｉ．生物学的データの複数の異なる解析を実行する複数のソフトウェアアプリケーションと、
を備えるシステムを提供することと、
ｂ．生物学的データの少なくとも第１の解析を実行可能な少なくとも第１の前記アプリケーションを消費者に販売することと、
ｃ．生物学的データの少なくとも第１の解析を実行するよう前記第１のアプリケーションを実行することと、を含む、
生物学的データの解析方法。
【請求項１７】
前記生物学的データが、ゲノム配列情報、プロテオミクスデータ、エクソームデータ、メチル化データ、ｍＲＮＡ発現データ、メタボロームデータ、ミクロビオームデータ、ミトコンドリア配列データ、および核型データからなる群から選択される、請求項１に記載のシステム。
【請求項１８】
前記ソフトウェアアプリケーションが、第１のセットの生物学的情報を、前記複数の患者の少なくとも亜集団からの生物学的データと比較する、請求項１６に記載の方法。
【請求項１９】
ａ．
ｉ．複数の患者からの生物学的データを含むデータベースを有するメモリを備え、前記生物学的データは少なくとも第１および第２のソースから取得された第１のコンピュータと、
ｉｉ．生物学的データの複数の異なる解析を実行する複数のソフトウェアアプリケーションと、
を備えるシステムを提供することと、
ｂ．前記アプリケーションのうち少なくとも１つにより、個人の生物学的データの解析を実行することと、
ｃ．前記解析の結果に基づき前記広告主に広告を販売することと、
を含む、広告を販売する方法。
【請求項２０】
コンピュータ可読な記憶媒体内に実現され、
ａ．遺伝学的データの複数の異なる解析を実行する複数のソフトウェアアプリケーションを格納することと、
ｂ．少なくとも第１の前記ソフトウェアアプリケーションへのアクセスをユーザに提供することと、
ｃ．遺伝学的データの入力を受信することと、
ｄ．前記ソフトウェアアプリケーションを用いて前記入力遺伝学的データの解析を実行することと、
ｅ．前記解析の結果の出力を前記ユーザまたはサードパーティまたは両方に提供し、前記結果はリアルタイムパーソナライズ結果を提供するようセンサ入力データと関連して解析されることと、
についてのコンピュータ命令を備える、
遺伝学的データを解析する非一過性コンピュータプログラム製品。
【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
バイオセンサメータ用に構成された無線送信機アダプタであって、前記無線送信機アダプタは、
前記バイオセンサメータの少なくとも一部分の周りに配置されるように構成された本体であって、前記バイオセンサメータは、前記無線送信機アダプタのどの部分も必要なく利用可能なように構成されたユーザインターフェースを含む、個別に操作可能なメータである、本体と、
前記バイオセンサメータの外部にアクセス可能なケーブル通信ポートに受け入れられて前記ケーブル通信ポートを介して前記バイオセンサメータ内の回路に電気的に結合するように構成されたコネクタと、
前記本体内に収容された無線送信機回路であって、前記コネクタに電気的に結合されており、前記バイオセンサメータからデータを無線で送信するように構成された無線送信機回路と、
を備えることを特徴とする無線送信機アダプタ。
【請求項２】
前記本体は、前記バイオセンサメータのバッテリカバーに代わって配置されるように構成される、請求項１に記載の無線送信機アダプタ。
【請求項３】
前記無線送信機回路に電力を供給するために前記バイオセンサメータの１つまたは複数のバッテリに電気的に結合するように構成された１つまたは複数の電気接点を更に備える、請求項２に記載の無線送信機アダプタ。
【請求項４】
前記本体は、前記バイオセンサメータの少なくとも一部分を包囲するように構成される、請求項１に記載の無線送信機アダプタ。
【請求項５】
前記本体は、バッテリ室を備える、請求項４に記載の無線送信機アダプタ。
【請求項６】
前記コネクタは前記本体から延在し、エラストマーコードコネクタアーム、剛性アーム、柔軟性アームまたはスライド可能アームのうちの１つを備える、請求項１に記載の無線送信機アダプタ。
【請求項７】
前記コネクタは、ステレオプラグ、ＲＳ２３２プラグまたはＵＳＢプラグのうちの１つを備える、請求項１に記載の無線送信機アダプタ。
【請求項８】
前記無線送信機回路は、ブルートゥース（登録商標）ローエナジー技術を備える、請求項１に記載の無線送信機アダプタ。
【請求項９】
前記バイオセンサメータは血糖メータを備え、前記データは血糖測定読取値を備える、請求項１に記載の無線送信機アダプタ。
【請求項１０】
バイオセンサメータであって、
１つまたは複数のバッテリを受け入れるように構成されたバッテリホルダと、
前記１つまたは複数のバッテリによって電力を供給され、流体内の検体の特性を判定するように構成されたマイクロコントローラと、
前記１つまたは複数のバッテリによって電力を供給され、流体内の検体の判定された特性を含むデータを記憶するために前記マイクロコントローラに結合されるように構成されたメモリと、
前記バッテリホルダ、前記マイクロコントローラ、および前記メモリを収容するように構成された筐体と、
前記筐体に配置された外部にアクセス可能なケーブル通信ポートであって、前記通信ポートに受け入れられたケーブルを前記マイクロコントローラに電気的に結合するように構成された通信ポートと、
無線送信機アダプタであって、
前記筐体の少なくとも一部分の周りに配置された本体と、
前記ケーブル通信ポートに受け入れられて前記マイクロコントローラに電気的に結合するように構成されたコネクタと、
前記本体内に配置され、前記バイオセンサメータからデータを無線で送信するために前記コネクタに電気的に結合された無線送信機回路であって、前記バイオセンサメータは、前記無線送信機アダプタのどの部分も必要なく利用可能なように構成されたユーザインターフェースを含む、個別に操作可能なメータである、無線送信機回路と、を備える無線送信機アダプタと、
を備えることを特徴とするバイオセンサメータ。
【請求項１１】
前記無線送信機回路は、前記１つまたは複数のバッテリによって電力を供給されるように構成される、請求項１０に記載のバイオセンサメータ。
【請求項１２】
前記本体は、ハウジングの大部分に密着し包囲するように構成される、請求項１０に記載のバイオセンサメータ。
【請求項１３】
前記本体は、前記バイオセンサメータのバッテリカバーに代わって配置されるように構成される、請求項１０に記載のバイオセンサメータ。
【請求項１４】
前記バイオセンサメータは血糖メータを備え、前記データは血糖測定読取値を含む、請求項１０に記載のバイオセンサメータ。
【請求項１５】
データの配線接続でのダウンロードが可能なバイオセンサメータ用に構成された無線送信機アダプタを提供する方法であって、前記方法は、
前記バイオセンサメータの少なくとも一部分の周りに配置されるように前記無線送信機アダプタの本体を構成するステップであって、前記バイオセンサメータは、前記無線送信機アダプタのどの部分も必要なく利用可能なように構成されたユーザインターフェースを含む、個別に操作可能なメータである、ステップと、
前記バイオセンサメータの外部にアクセス可能なケーブル通信ポートに受け入れられて前記ケーブル通信ポートを介して前記バイオセンサメータの回路に電気的に結合するように構成されたコネクタを準備するステップと、
前記本体内に無線送信機回路を準備するステップであって、前記無線送信機回路は前記コネクタに電気的に結合されており、前記バイオセンサメータからデータを無線で送信するように構成されている、ステップと、
を備えることを特徴とする方法。
【請求項１６】
本体を構成する前記ステップは、前記バイオセンサメータのバッテリカバーに代わって配置されるように前記本体を構成するステップを備える、請求項１５に記載の方法。
【請求項１７】
前記バイオセンサメータの１つまたは複数のバッテリに電気的に結合するように構成された１つまたは複数の電気接点を準備するステップを更に備える、請求項１６に記載の方法。
【請求項１８】
前記無線送信機回路に電力を供給するために前記１つまたは複数の電気接点が前記１つまたは複数のバッテリに電気的に結合するように、前記バイオセンサメータの前記バッテリカバーに代えて前記無線送信機アダプタの前記本体を配置するステップと、
前記バイオセンサメータ内の回路に電気的に結合するために、前記コネクタを前記ケーブル通信ポート内に挿入するステップと、
を更に備える、請求項１７に記載の方法。
【請求項１９】
本体を構成する前記ステップは、前記バイオセンサメータの大部分に密着し包囲するように前記本体を構成するステップを備える、請求項１５に記載の方法。
【請求項２０】
前記バイオセンサメータは血糖メータを備え、前記データは血糖測定読取値を備える、請求項１５に記載の方法。
【手続補正書】
【提出日】平成30年3月23日(2018.3.23)
【手続補正１】
【補正対象書類名】明細書
【補正対象項目名】発明の名称
【補正方法】変更
【補正の内容】
【発明の名称】熱ショックタンパク質を本質的に含まない医薬製剤、医薬製剤を含むバイアル又は投与具、バイアル又は投与具を含むキット、並びにアレルギーの治療方法
【手続補正２】
【補正対象書類名】特許請求の範囲
【補正対象項目名】全文
【補正方法】変更
【補正の内容】
【特許請求の範囲】
【請求項１】
−アレルギー反応を誘発する抗原構造物の断片１０〜２００μｇ／ｍｌ、
−２〜６％（ｗ／ｖ）のマンニトール、
−０．５〜２％（ｗ／ｖ）のトレハロース、
−水
を含み、熱ショックタンパク質を本質的に含まない医薬製剤。
【請求項２】
アレルギー反応を誘発する前記抗原構造物の断片の濃度が５０〜２００μｇ／ｍｌである請求項１に記載の医薬製剤。
【請求項３】
緩衝剤をさらに含む請求項１又は請求項２に記載の医薬製剤。
【請求項４】
前記緩衝剤がリン酸塩緩衝剤である、請求項３に記載の医薬製剤。
【請求項５】
皮下注射のための形態である請求項１〜請求項４のいずれか一項に記載の医薬製剤。
【請求項６】
前記熱ショックタンパク質の量が１μｇ／ｍｌ未満である請求項１〜請求項５のいずれか一項に記載の医薬製剤。
【請求項７】
前記熱ショックタンパク質の量が０．５ｎｇ／ｍｌ未満である請求項６に記載の医薬製剤。
【請求項８】
前記抗原構造物の断片が加水分解アレルゲンである請求項１〜請求項７のいずれか一項に記載の医薬製剤。
【請求項９】
前記加水分解アレルゲンが、前記抗原構造物の酵素的加水分解により調製される加水分解アレルゲンである、請求項８に記載の医薬製剤。
【請求項１０】
前記断片のうち少なくとも７０重量％が１，０００〜１０，０００Ｄａである請求項１〜請求項９のいずれか一項に記載の医薬製剤。
【請求項１１】
前記加水分解アレルゲンが、
ａ）アレルゲンタンパク質を含むアレルゲンの天然供給源を抽出して抽出物を形成するステップ、
ｂ）前記抽出物を精製して非タンパク質成分を除去し、精製抽出物を形成するステップ、
ｃ）前記精製抽出物を変性して、精製変性抽出物を形成するステップ、
ｄ）精製変性抽出物を純化して不純物を除去し、純化変性抽出物を形成するステップ、
ｅ）変性アレルゲンを加水分解して、前記加水分解アレルゲンを形成するステップ、
ｆ）ペプチドの７０％が１０，０００Ｄａ〜１，０００Ｄａである精製加水分解物を得るために、前記加水分解アレルゲンを精製して１０，０００Ｄａ超の分子量を有するペプチド及び１，０００Ｄａ未満の分子量を有するペプチドを除去するステップ、
を含む方法により得られ、
前記精製変性抽出物が複数のタンパク質を含み、前記複数のタンパク質のうち、合わせて全タンパク質の少なくとも６０％（ｗ／ｗ）を構成する最も量の多い（ｗ／ｗ）タンパク質は少なくとも２つのタンパク質であり、全タンパク質が前記精製変性抽出物の乾燥重量の少なくとも６０％（ｗ／ｗ）をなす、請求項８又は請求項９記載の医薬製剤。
【請求項１２】
前記精製加水分解物において、ペプチドの８０％が１０，０００Ｄａ〜１，０００Ｄａである、請求項１１に記載の医薬製剤。
【請求項１３】
前記加水分解アレルゲンが、
ａ）アレルゲンタンパク質を含むアレルゲンの供給源を抽出して抽出物を形成するステップ、
ｂ）前記抽出物を精製して非タンパク質成分を除去し、精製抽出物を形成するステップ、
ｃ）前記精製抽出物を第一変性剤で変性して、精製変性抽出物を形成するステップ、
ｄ）前記精製変性抽出物を純化して不純物を除去し、純化変性抽出物を形成するステップ、
ｅ）前記純化変性抽出物を第二変性剤で変性して、変性アレルゲン混合物を形成するステップ、及び
ｆ）前記変性アレルゲン混合物を加水分解して、加水分解アレルゲンを形成するステップ
を含む方法により得られる、請求項８又は請求項９記載の医薬製剤。
【請求項１４】
前記抗原構造物が、ミルクアレルゲン、毒液アレルゲン、卵アレルゲン、雑草アレルゲン、草（ｇｒａｓｓ）アレルゲン、草（ｇｒａｓｓ）花粉アレルゲン、樹木アレルゲン、灌木アレルゲン、花アレルゲン、穀物アレルゲン、真菌アレルゲン、果実アレルゲン、ベリーアレルゲン、ナッツアレルゲン、種子アレルゲン、豆アレルゲン、魚アレルゲン、甲殻類アレルギー、肉アレルゲン、香辛料アレルゲン、昆虫アレルゲン、ダニアレルゲン、動物アレルゲン、動物鱗屑アレルゲン及びパラゴムノキのアレルゲンである請求項１〜請求項１２のいずれか一項に記載の医薬製剤。
【請求項１５】
患者に別々の時に少なくとも２回の注射をすることを含むアレルギーの治療に用いるための、請求項１〜請求項１４のいずれか一項に記載の医薬製剤。
【請求項１６】
製剤の量を漸次増やしつつ２〜２０回の注射を行うことを含む治療に用いるための、請求項１５に記載の医薬製剤。
【請求項１７】
請求項１〜請求項１６のいずれか一項に記載の医薬製剤を０．２〜１．５ｍｌ含むバイアル又は投与具。
【請求項１８】
注射器である請求項１７に記載の投与具。
【請求項１９】
請求項１７又は請求項１８に記載のバイアル又は投与具を２〜３０個含むキット。
【請求項２０】
１回以上の注射機会（ｓｅｓｓｉｏｎ）に、請求項１〜請求項１６のいずれか一項に記載の医薬製剤を用いて、抗原構造物の断片を４０μｇ〜１０００μｇの累積用量で皮下注射により患者に投与することを含む、アレルギーの治療方法。
【請求項２１】
注射機会が３〜１０日の間隔で実施される請求項２０に記載の方法。
【請求項２２】
２回の皮下注射が、同一注射機会に前記患者の身体の異なる位置で実施される、請求項２０又は請求項２１に記載の方法。
【請求項２３】
前記２つの異なる位置が患者の両腕にある請求項２２に記載の方法。
【請求項２４】
前記治療が毎年繰り返される、請求項２０〜請求項２３のいずれか一項に記載の方法。
【手続補正書】
【提出日】平成30年4月4日(2018.4.4)
【手続補正１】
【補正対象書類名】特許請求の範囲
【補正対象項目名】全文
【補正方法】変更
【補正の内容】
【特許請求の範囲】
【請求項１】
皮膚病態を治療または予防するための組成物であって、パルミチン酸アスコルビル、トコフェロール、アスコルビン酸、及びレシチンを含む、前記組成物。
【請求項２】
前記皮膚病態が、ざ瘡病態である、請求項１に記載の組成物。
【請求項３】
前記パルミチン酸アスコルビル、トコフェロール、アスコルビン酸、及びレシチンがそれぞれ、前記組成物の約０．０１重量％〜約５重量％、約０．０５重量％〜約２．５重量％、または約０．０７５重量％〜約１重量％の量で存在する、請求項１に記載の組成物。
【請求項４】
パルミチン酸アスコルビル、トコフェロール、アスコルビン酸、及びレシチンを含む、皮膚病態を治療または予防するための局所用組成物。
【請求項５】
１つ以上の賦形剤を更に含む、請求項４に記載の組成物。
【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
モジュール式分配装置において、
前側、後側、２つの側壁、上壁、及び底壁を有するフレームと、
前記フレーム内の第１のエンクレーブ及び第２のエンクレーブと、
前記第１のエンクレーブ内に位置する第１の飲料ディスペンサーと、
前記第２のエンクレーブ内に位置する第２の飲料ディスペンサーと、
前記第１のエンクレーブと前記第２のエンクレーブとの間に位置付けられた氷ディスペンサーと、
前記氷ディスペンサーを囲み、２つのハウジング側壁及び前壁を有するアイスディスペンサーハウジングであって、前記前壁が、前記氷ディスペンサーの氷取り出しへのアクセスを可能にする開口部を有するものである、アイスディスペンサーハウジングと、
を備えた、モジュール式分配装置。
【請求項２】
前記２つのハウジング側壁及び前記前壁が一体型構造である、請求項１に記載のモジュール式分配装置。
【請求項３】
前記氷ディスペンサーハウジングが前記氷ディスペンサーに取り付けられていない、請求項１に記載のモジュール式分配装置。
【請求項４】
前記モジュール式分配装置が現場に設置されるときに、前記２つのハウジング側壁が前記現場の壁に取り付けられる、請求項１に記載のモジュール式分配装置。
【請求項５】
前記モジュール式分配装置が現場の壁に隣接して設置されるか、又は埋め込まれるときに、前記氷ディスペンサーハウジングが前記現場の前記壁と同じ又は類似の色である、請求項１に記載のモジュール式分配装置。
【請求項６】
前記後側が後壁を含み、前記後壁及び前記氷ディスペンサーハウジングが一体型構造である、請求項１に記載のモジュール式分配装置。
【請求項７】
モジュール式分配装置において、
前側、後側、２つの側壁、上壁、及び底壁を有し、前記底壁、２つの側壁、及び上壁が一体型構造である、フレームと、
前記フレーム内の第１のエンクレーブ及び第２のエンクレーブと、
前記第１のエンクレーブ内に位置する第１の飲料ディスペンサーと、
前記第２のエンクレーブ内に位置する第２の飲料ディスペンサーと、
前記第１のエンクレーブと前記第２のエンクレーブとの間に位置付けられた氷ディスペンサーと、
前記氷ディスペンサーを囲み、２つのハウジング側壁及び前壁を有する氷ディスペンサーハウジングであって、前記前壁が前記氷ディスペンサーの氷取り出し口へのアクセスを可能にする開口部を有し、前記モジュール式分配装置が現場の壁に隣接して設置されるか、又は埋め込まれるときに、前記現場の前記壁と同じ又は類似の色である氷ディスペンサーハウジングと、
を備えた、モジュール式分配装置。
【請求項８】
前記底壁、２つの側壁、上壁、及び氷ディスペンサーハウジングが一体型構造である、請求項７に記載のモジュール式分配装置。
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
滑走路設備であって、
第１の滑走路セクションと、
第２の滑走路セクションと、
無風安全領域と、を含み、
前記第１および第２の滑走路セクションは、前記無風安全領域によって連結されており、前記第２の滑走路セクションは、前記第１の滑走路セクションに対してある角度で配置されている、滑走路設備。
【請求項２】
前記第２の滑走路セクションは、前記第１の滑走路セクションに対して、実質的に０．２５〜１０度で、好ましくは、実質的に１〜５度で、より好ましくは、実質的に２〜３度で配置されている、請求項１に記載の滑走路設備。
【請求項３】
前記第２の滑走路セクションは、前記第１の滑走路セクションから横方向にずれており、好ましくは、前記横方向のずれは、前記第２の滑走路セクションが角度を付けられている方向と反対側の方向になっている、請求項１または２に記載の滑走路設備。
【請求項４】
前記滑走路設備は、横方向にずれた滑走路セクションをさらに含み、前記横方向にずれた滑走路セクションは、前記第１の滑走路セクションに対して実質的に平行であり、前記第１の滑走路セクションに対して実質的に長手方向に整列している、請求項１から３のいずれか１項に記載の滑走路設備。
【請求項５】
前記第２の滑走路セクションは、前記横方向にずれた滑走路セクションに向かう方向に、前記無風安全領域から傾斜している、請求項４に記載の滑走路設備。
【請求項６】
前記横方向にずれた滑走路セクションは、前記第１の滑走路セクションから横方向にずれており、それにより、前記横方向にずれた滑走路の前記中心線が、前記第２の滑走路セクションとは交差しないようになっており、好ましくは、前記滑走路設備は、前記不等式Ｄ＞Ｌ・ｓｉｎ（θ）またはＤ＋Ｏ＞Ｌ・ｓｉｎ（θ）を満たしている、請求項４または５に記載の滑走路設備。
【請求項７】
前記滑走路設備は、第３の滑走路セクションをさらに含み、前記第３の滑走路セクションは、実質的に前記第１の滑走路セクションの延長部分にあり、それによって、「ｙ字形状の」滑走路設備を形成しており、前記第１および第３の滑走路セクションは、無風安全領域によって連結されている、請求項１から６のいずれか１項に記載の滑走路設備。
【請求項８】
前記第１の滑走路セクションと前記第３の滑走路セクションとの間の前記無風安全領域は、前記第１の滑走路セクションと前記第２の滑走路セクションとの間の前記無風安全領域に連結されている、請求項７に記載の滑走路設備。
【請求項９】
前記第３の滑走路セクションは、前記第１の滑走路セクションから横方向にずれており、前記横方向のずれは、前記第２の滑走路セクションの前記角度に対して反対側の方向になっており、好ましくは、第３の滑走路は、前記第１の滑走路セクションの前記幅の４分の１倍から２倍の間だけ、好ましくは、５０ｍから１００ｍだけ、より好ましくは、６０ｍから８０ｍだけ、前記第１の滑走路セクションから横方向にずれている、請求項７または８に記載の滑走路設備。
【請求項１０】
前記第３の滑走路セクションの端部における前記無風安全領域は、前記第１の滑走路セクションと前記第２の滑走路セクションとの間の前記無風安全領域に実質的に整列している、請求項９に記載の滑走路設備。
【請求項１１】
滑走路設備であって、
第１の滑走路セクションと、
第２の滑走路セクションと、を含み、
前記第２の滑走路セクションは、前記第１の滑走路セクションから横方向にずれており、前記第２の滑走路セクションは、前記第１の滑走路セクションと長手方向に重なっており、重なっていないセクションが、離陸セクションまたは着陸セクションとして使用するためのものである、滑走路設備。
【請求項１２】
前記重なっているセクションは、３００ｍから９００ｍの間の長さであり、好ましくは、実質的に４００ｍ〜６００ｍの長さである、請求項１１に記載の滑走路設備。
【請求項１３】
前記重なっているセクションは、無風安全領域である、請求項１１または１２に記載の滑走路設備。
【請求項１４】
前記第２の滑走路セクションは、前記第１の滑走路セクションの前記幅の４分の１倍から２倍の間だけ、好ましくは、５０ｍから１００ｍだけ、より好ましくは、６０ｍから８０ｍだけ、前記第１の滑走路セクションから横方向にずれている、請求項１１から１３のいずれか１項に記載の滑走路設備。
【請求項１５】
前記第２の滑走路セクションは、前記第１の滑走路セクションに対してある角度で配置されており、好ましくは、前記第１の滑走路セクションに対して、実質的に０．２５〜１０度で、好ましくは、実質的に１〜５度で、より好ましくは、実質的に２〜３度で配置されている、請求項１１から１４のいずれか１項に記載の滑走路設備。
【誤訳訂正書】
【提出日】平成29年12月13日(2017.12.13)
【誤訳訂正１】
【訂正対象書類名】明細書
【訂正対象項目名】００１４
【訂正方法】変更
【訂正の内容】
【００１４】
工程ｂ）蒸留による精製
工程ｂ）は、好ましくは、薄膜蒸留器で行われる。これは、好ましくは、１０個〜３０個のトレイを備えた、取り付けられたカラムを有する。さらに好ましくは、≧１７０℃〜≦２００℃の温度である。
【手続補正書】
【提出日】平成30年1月19日(2018.1.19)
【手続補正１】
【補正対象書類名】特許請求の範囲
【補正対象項目名】全文
【補正方法】変更
【補正の内容】
【特許請求の範囲】
【請求項１】
合成ＲＮＡを含む、栄養障害型性表皮水疱症の治療に使用するための医薬組成物であって、
前記合成ＲＮＡが、ＣＯＬ７遺伝子を標的とする遺伝子編集タンパク質をコードしており、
前記合成ＲＮＡが、対象のケラチノサイトにインビボで送達するのに好適であり、
前記遺伝子編集タンパク質がＣＯＬ７遺伝子を編集し、そして
前記遺伝子編集タンパク質が、ＤＮＡ結合ドメイン及びヌクレアーゼドメインを含み、前記対象のケラチノサイトのＣＯＬ７遺伝子に一本鎖切断又は二本鎖切断をもたらす、医薬組成物。
【請求項２】
前記遺伝子編集タンパク質が、少なくとも部分的に栄養障害型性表皮水疱症の疾患の表現型の原因となる変異を、単独または１つ以上の他の分子または遺伝子編集タンパク質との組み合わせのいずれかで、修正または削除する、請求項１に記載の医薬組成物。
【請求項３】
前記遺伝子編集タンパク質が、配列番号７８のアミノ酸配列をコードする核酸配列を標的とする、請求項１に記載の医薬組成物。
【請求項４】
前記遺伝子編集タンパク質が、ヌクレアーゼ、転写活性化因子様エフェクターヌクレアーゼ（ＴＡＬＥＮ）、ジンクフィンガーヌクレアーゼ、メガヌクレアーゼ、ニッカーゼ、及び規則的な間隔をもってクラスター化された短鎖回文反復（ｃｌｕｓｔｅｒｅｄ  ｒｅｇｕｌａｒｌｙ  ｉｎｔｅｒｓｐａｃｅｄ  ｓｈｏｒｔ  ｐａｌｉｎｄｒｏｍｉｃ  ｒｅｐｅａｔ）（ＣＲＩＳＰＲ）結合タンパク質から成る群から選択される、請求項１に記載の医薬組成物。
【請求項５】
前記合成ＲＮＡの分子が更に、１又は複数の５’キャップ、５’キャップ１構造及び３’ポリ（Ａ）テールを含む、請求項１に記載の医薬組成物。
【手続補正書】
【提出日】平成30年1月19日(2018.1.19)
【手続補正１】
【補正対象書類名】特許請求の範囲
【補正対象項目名】全文
【補正方法】変更
【補正の内容】
【特許請求の範囲】
【請求項１】
加工物を加工する方法において、以下のステップ：
（ｉ）ビーム伝播方向に沿って見てレーザビーム焦線にパルスレーザビームを集束させるステップ；
（ｉｉ）前記レーザビーム焦線を前記加工物に向かって、前記加工物への第１の入射角で配向するステップであって、前記第１の角度は前記加工物の縁部と交差し、前記レーザビーム焦線は前記加工物内で誘起吸収を生成し、前記誘起吸収は前記加工物内の前記レーザビーム焦線に沿って欠陥線を形成する、ステップ；
（ｉｉｉ）前記加工物及び前記レーザビームを互いに対して並進移動させることによって、レーザが前記加工物内において前記第１の角度で、第１の平面に沿って、各々の直径が５μｍ以下である複数の前記欠陥線を掘削するステップ；
（ｉｖ）前記平面に沿って前記加工物を分離させ、少なくとも１つの切断表面を有するレーザ切断済み加工物を形成するステップ；並びに
（ｖ）体積弾性率が０．１〜５ＧＰａである研磨ホイールによって前記レーザ切断済み加工物の前記切断表面を研磨することによって、前記加工物を加工するステップ
を有してなる、方法。
【請求項２】
前記レーザビーム焦線を前記材料に向かって、前記材料への第２の入射角において配向するステップであって、前記レーザビーム焦線は前記材料内で誘起吸収を生成し、前記誘起吸収は前記材料内の前記レーザビーム焦線に沿って欠陥線を形成する、ステップ；
前記材料及び前記レーザビームを互いに対して並進移動させることによって、前記レーザが前記材料内において前記第２の角度で、第２の平面に沿って、各々の直径が５μｍ以下である複数の前記欠陥線を掘削するステップ
を更に含み、
前記分離させるステップは、前記第１の平面及び前記第２の平面に沿って前記材料を分離させ、前記レーザ切断済み材料を形成することによって実施される、請求項１に記載の方法。
【請求項３】
ガラス材料をレーザ加工する方法において、以下のステップ：
ビーム伝播方向に沿って見てレーザビーム焦線にパルスレーザビームを集束させるステップ；並びに
前記材料内のＮ個の平面それぞれに関して：
前記レーザビーム焦線を材料に向かって、前記材料への対応する入射角で配向するステップであって、前記レーザビーム焦線は前記材料内で誘起吸収を生成し、前記誘起吸収は前記材料内の前記レーザビーム焦線に沿って欠陥線を形成する、ステップ；
前記材料及び前記レーザビームを互いに対して並進移動させることによって、レーザが前記Ｎ個の平面のうちの対応する平面に沿って、各々の直径が５μｍ以下である複数の前記欠陥線を掘削するステップ；
前記加工物にイオン交換プロセスを適用することによって、前記Ｎ個の平面のうちの少なくとも１つに沿って前記加工物を分離させ、レーザ切断表面を有するレーザ切断済み加工物を形成するステップ；並びに
体積弾性率が０．１〜５ＧＰａである研磨ホイールによって前記レーザ切断済み加工物の前記レーザ切断表面を時間ｔ（ただし１秒＜ｔ＜１分）だけ研磨するステップ
によって、前記Ｎ個の平面に沿って複数の前記欠陥線をレーザ掘削するステップ
を有してなる、方法。
【請求項４】
前記研磨ホイールの外径は４０〜２５０ｍｍであり、
前記研磨ホイールは５００〜１００００ｒｐｍで回転し、
前記研磨ホイールは複数の摩砕粒子を含み、前記摩砕粒子の断面幅は０．１〜１００μｍであり、相対靱性は６００〜６８０ＭＰＧである、請求項１〜３に記載の方法。
【請求項５】
前記研磨ホイールの外径は８０〜１２０ｍｍであり、
前記研磨ホイールは５００〜８０００ｒｐｍで回転し、
前記研磨ホイールは複数の摩砕粒子を含み、前記摩砕粒子の断面幅は０．１〜１００μｍであり、相対靱性は６５０〜６７０ＭＰＧであり、摩砕摩損度はＭＢＧ６５０〜ＭＢＧ６８０である、請求項４に記載の方法。
【請求項６】
前記レーザは、パルス持続時間が約５ピコ秒超かつ約２０ピコ秒未満、バースト繰り返し数が約１ｋＨｚ〜２ＭＨｚのバーストパルスレーザであり、
前記バーストパルスレーザは、１バーストあたり２〜２５パルスを含む、請求項１〜３に記載の方法。
【請求項７】
前記レーザの出力は１０〜１００ワットである、請求項６に記載の方法。